(57)【要約】【課題】  携帯情報装置と電源装置と充電装置から成るシステムにおいて、低コスト化を可能にする電源装置及び携帯情報装置を提供する。【解決手段】  画像撮影装置１００と電源装置２００と充電装置３００から構成され、電源装置には時計表示部２０４が設けられている。時計表示部は、時刻と二次電池の充電時間と二次電池の電池残量を切換表示する。切換表示は、画像撮影装置と電源装置と充電装置とから各々指示することができる。画像撮影装置は表示窓１１１を備え、電源装置の装着により、時計機能部の表示領域が表示窓から目視可能な位置に配置される。画像撮影装置と充電装置は表示部を備えていないので、表示部を一つだけ備えた電源装置及び携帯情報装置を提供でき、低コスト化が可能になる。【選択図】      図１
2007089263.tif 000002
【特許請求の範囲】
【請求項１】
携帯情報装置及び充電装置に着脱可能な電源装置であって、
充電が可能な二次電池と、
時刻情報を発生する時計機能手段と、
前記時計機能手段の指示に応じて時刻を表示する時計表示手段と
を備えたことを特徴とする電源装置。
【請求項２】
請求項１記載の電源装置において、
前記二次電池の電池残量を検出する電池残量検出手段と、
前記電池残量検出手段によって検出される電池残量に基づいて、前記二次電池の充電完了までに要する充電時間を予測する充電時間予測手段と、
前記充電時間を表示する充電時間表示手段と
を備えたことを特徴とする電源装置。
【請求項３】
請求項１記載の電源装置において、
前記携帯情報装置は、
前記二次電池の電池残量を検出する電池残量検出手段と、前記電池残量検出手段によって検出される電池残量に基づいて、前記二次電池の充電完了までに要する充電時間を予測する充電時間予測手段を備え、
前記電源装置は、
前記充電時間予測手段が出力する前記充電時間を示す充電時間信号を受信する受信部と、
前記充電時間信号が示す充電時間を表示する充電時間表示手段とを更に備えることを特徴とする電源装置。
【請求項４】
請求項２又は請求項３に記載の電源装置において、
前記時計表示手段は、前記充電時間表示手段を兼用することを特徴とする電源装置。
【請求項５】
請求項２又は請求項３に記載の電源装置において、
前記電池残量の検出開始を指示する検出開始信号を出力するスイッチを更に有し、
前記電池残量検出手段は、前記検出開始信号に基づいて前記二次電池の電池残量の検出を開始することを特徴とする電源装置。
【請求項６】
請求項２に記載の電源装置において、
前記携帯情報装置に設けられたスイッチより出力されて前記電池残量の検出開始を指示するための検出開始信号を受信する受信部を更に有し、
前記電池残量検出手段は、前記検出開始信号に基づいて前記二次電池の電池残量の検出を開始することを特徴とする電源装置。
【請求項７】
請求項２又は請求項３に記載の電源装置において、
前記充電時間予測手段は、前記二次電池の充電特性と前記検出された電池残量に基づいて充電時間を予測することを特徴とする電源装置。
【請求項８】
請求項１記載の電源装置において、
前記二次電池の電池残量を検出する電池残量検出手段と、
前記電池残量検出手段によって検出される電池残量を表示する電池残量表示手段と
を備えたことを特徴とする電源装置。
【請求項９】
請求項８記載の電源装置において、
前記時計表示手段は、前記電池残量表示手段を兼用することを特徴とする電源装置。
【請求項１０】
請求項１記載の電源装置において、
前記電源装置が前記携帯情報装置に装着されているか否かを判断する装着判断手段と、
複数の表示モードを有する表示手段と、
前記装着判断手段の判断結果に基づいて前記表示手段の表示モードを切換える表示切換手段と
を備えたことを特徴とする電源装置。
【請求項１１】
請求項１０記載の電源装置において、
前記表示手段における表示領域は、前記時計表示手段を兼用することを特徴とする電源装置。
【請求項１２】
請求項１１記載の電源装置において、
前記二次電池の電池残量を検出する電池残量検出手段を備え、
前記表示手段は、前記装着判断手段により前記電源装置が装着されていると判断された場合には時計表示を行い、前記装着判断手段により前記電源装置が非装着であると判断された場合には、前記電池残量検出手段によって検出された電池残量を表示することを特徴とする電源装置。
【請求項１３】
請求項１０記載の電源装置において、
操作されることにより前記表示モードを切換えるモード切換信号を出力するモード切換スイッチを更に有し、
前記表示手段は、前記装着判断手段の判断に優先して前記モード切換信号に基づいて前記表示手段の前記表示モードを切換えることを特徴とする電源装置。
【請求項１４】
請求項１０記載の電源装置において、
前記携帯情報装置に設けられたモード切換スイッチより出力されて前記表示モードの切換えを指示するための表示モード切換信号を受信する受信部を更に有し、
前記表示手段は、前記装着判断手段の判断に優先して前記モード切換信号に基づいて前記表示手段の前記表示モードを切換えることを特徴とする電源装置。
【請求項１５】
請求項１記載の電源装置において、
前記二次電池の電池残量を検出する電池残量検出手段を更に備え、
前記充電装置により前記電源装置が充電されているときに、前記電池残量検出手段の検出結果に基づいて前記二次電池の充電状態を示す充電状態情報を生成する充電状態情報生成手段と、
前記充電状態情報を表示する充電状態情報表示手段と
を有することを特徴とする電源装置。
【請求項１６】
請求項１５記載の電源装置において、
前記時計表示手段は、前記充電状態情報表示手段を兼用することを特徴とする電源装置。
【請求項１７】
請求項１５記載の電源装置において、
前記充電状態情報表示手段は、前記二次電池の充電完了までに要する充電時間又は電池残量の少なくとも一方を表示することを特徴とする電源装置。
【請求項１８】
請求項１６記載の電源装置において、
前記二次電池の充電が完了したことを検知する充電完了検知手段を備え、
前記充電完了検知手段が前記二次電池の充電完了を検知したとき、前記充電状態情報表示手段の表示を時計表示に切換える切換手段を有することを特徴とする電源装置。
【請求項１９】
請求項１から請求項１８の何れか一つに記載の電源装置を装着する電源装着部を有することを特徴とする携帯情報装置。
【請求項２０】
請求項１９記載の携帯情報装置において、
前記電源装置を前記携帯情報装置に装着した際に、前記時計表示手段の表示を目視可能とする表示窓を有することを特徴とする携帯情報装置。
【請求項２１】
請求項１９記載の携帯情報装置において、
前記携帯情報装置はデジタルカメラであることを特徴とする携帯情報装置。
【発明の詳細な説明】
【技術分野】
【０００１】
本発明は、携帯情報装置及び携帯情報装置に適用される電源装置に関するものである。
【背景技術】
【０００２】
デジタルカメラ等の携帯情報装置は、装置内部に時計機能を備えている。また、携帯情報装置は、一般に時計機能を動作させるための専用電池を備えている。これは、携帯情報装置の電源が抜き取られた場合等において、時計機能を継続動作させるためである。しかし、専用電池は携帯情報装置のコストアップ及び携帯情報装置を小型化する際の妨げになる。
【０００３】
そこで、特許文献１は、携帯情報装置と充電装置とに着脱可能な電源装置に、充電可能な二次電池と計時部とを設ける旨の提案をしている。ここで、充電装置は、充電制御部と時計部と表示部とを備えている。充電装置は電源装置の二次電池を充電する際に、時計部からの時刻情報を電源装置の計時部に通知する。更に、電源装置が携帯情報装置に装着されたとき、計時部は前記時刻情報を携帯情報装置に通知する。その後は、携帯情報装置が時間を更新する。
【特許文献１】特開平９−２３３７１５号公報
【発明の開示】
【発明が解決しようとする課題】
【０００４】
前記した従来技術においては、時刻を表示する表示部が携帯情報装置に必要になる。また、電源装置の二次電池を充電する充電装置は、充電装置に設けられた時計部の時刻合せ等を行うため、時刻等を表示する表示部を必要とする。
したがって、従来技術では、携帯情報装置と電源装置と充電装置から成るシステム全体において、時刻等を表示するための二つの表示部が必要になる。そのため、携帯情報装置と電源装置と充電装置から成るシステム全体において、時刻等を表示するための二つの表示部を設ける必要があり、コストアップの要因になるという課題がある。
【０００５】
本発明は、デジタルカメラ等の携帯情報装置と電源装置と充電装置から成るシステムの低コスト化を図ることを目的とする。
【課題を解決するための手段】
【０００６】
請求項１記載の電源装置は、携帯情報装置及び充電装置に着脱可能な電源装置であって、充電が可能な二次電池と、時刻情報を発生する時計機能手段と、時計機能手段の指示に応じて時刻を表示する時計表示手段とを備えたことを特徴とする。
請求項２記載の電源装置は、請求項１記載の電源装置において、二次電池の電池残量を検出する電池残量検出手段と、電池残量検出手段によって検出される電池残量に基づいて、二次電池の充電完了までに要する充電時間を予測する充電時間予測手段と、充電時間を表示する充電時間表示手段とを備えたことを特徴とする。
【０００７】
請求項３記載の電源装置は、請求項１記載の電源装置において、携帯情報装置は、二次電池の電池残量を検出する電池残量検出手段と、電池残量検出手段によって検出される電池残量に基づいて、二次電池の充電完了までに要する充電時間を予測する充電時間予測手段を備え、電源装置は、充電時間予測手段が出力する充電時間を示す充電時間信号を受信する受信部と、充電時間信号が示す充電時間を表示する充電時間表示手段とを更に備えることを特徴とする。
【０００８】
請求項４記載の電源装置は、請求項２又は請求項３に記載の電源装置において、時計表示手段は、充電時間表示手段を兼用することを特徴とする。
請求項５記載の電源装置は、請求項２又は請求項３に記載の電源装置において、電池残量の検出開始を指示する検出開始信号を出力するスイッチを更に有し、電池残量検出手段は、検出開始信号に基づいて二次電池の電池残量の検出を開始することを特徴とする。
【０００９】
請求項６記載の電源装置は、請求項２に記載の電源装置において、携帯情報装置に設けられたスイッチより出力されて電池残量の検出開始を指示するための検出開始信号を受信する受信部を更に有し、電池残量検出手段は、検出開始信号に基づいて二次電池の電池残量の検出を開始することを特徴とする。
請求項７記載の電源装置は、請求項２又は請求項３に記載の電源装置において、充電時間予測手段は、二次電池の充電特性と検出された電池残量に基づいて充電時間を予測することを特徴とする。
【００１０】
請求項８記載の電源装置は、請求項１記載の電源装置において、二次電池の電池残量を検出する電池残量検出手段と、電池残量検出手段によって検出される電池残量を表示する電池残量表示手段とを備えたことを特徴とする。
請求項９記載の電源装置は、請求項８記載の電源装置において、時計表示手段は、電池残量表示手段を兼用することを特徴とする。
【００１１】
請求項１０記載の電源装置は、請求項１記載の電源装置において、電源装置が携帯情報装置に装着されているか否かを判断する装着判断手段と、複数の表示モードを有する表示手段と、装着判断手段の判断結果に基づいて表示手段の表示モードを切換える表示切換手段とを備えたことを特徴とする。
請求項１１記載の電源装置は、請求項１０記載の電源装置において、表示手段における表示領域は、時計表示手段を兼用することを特徴とする。
【００１２】
請求項１２記載の電源装置は、請求項１１記載の電源装置において、二次電池の電池残量を検出する電池残量検出手段を備え、表示手段は、装着判断手段により電源装置が装着されていると判断された場合には時計表示を行い、装着判断手段により電源装置が非装着であると判断された場合には、電池残量検出手段によって検出された電池残量を表示することを特徴とする。
【００１３】
請求項１３記載の電源装置は、請求項１０記載の電源装置において、操作されることにより表示モードを切換えるモード切換信号を出力するモード切換スイッチを更に有し、表示手段は、装着判断手段の判断に優先してモード切換信号に基づいて表示手段の表示モードを切換えることを特徴とする。
請求項１４記載の電源装置は、請求項１０記載の電源装置において、携帯情報装置に設けられたモード切換スイッチより出力されて表示モードの切換えを指示するための表示モード切換信号を受信する受信部を更に有し、表示手段は、装着判断手段の判断に優先してモード切換信号に基づいて表示手段の表示モードを切換えることを特徴とする。
【００１４】
請求項１５記載の電源装置は、請求項１記載の電源装置において、二次電池の電池残量を検出する電池残量検出手段を更に備え、充電装置により電源装置が充電されているときに、電池残量検出手段の検出結果に基づいて二次電池の充電状態を示す充電状態情報を生成する充電状態情報生成手段と、充電状態情報を表示する充電状態情報表示手段とを有することを特徴とする。
【００１５】
請求項１６記載の電源装置は、請求項１５記載の電源装置において、時計表示手段は、充電状態情報表示手段を兼用することを特徴とする。
請求項１７記載の電源装置は、請求項１５記載の電源装置において、充電状態情報表示手段は、二次電池の充電完了までに要する充電時間又は電池残量の少なくとも一方を表示することを特徴とする。
【００１６】
請求項１８記載の電源装置は、請求項１６記載の電源装置において、二次電池の充電が完了したことを検知する充電完了検知手段を備え、充電完了検知手段が二次電池の充電完了を検知したとき、充電状態情報表示手段の表示を時計表示に切換える切換手段を有することを特徴とする。
請求項１９記載の携帯情報装置は、請求項１から請求項１８の何れか一つに記載の電源装置を装着する電源装着部を有することを特徴とする。
【００１７】
請求項２０記載の携帯情報装置は、請求項１９記載の携帯情報装置において、電源装置を携帯情報装置に装着した際に、時計表示手段の表示を目視可能とする表示窓を有することを特徴とする。
請求項２１記載の携帯情報装置は、請求項１９記載の携帯情報装置において、携帯情報装置はデジタルカメラであることを特徴とする。
【発明の効果】
【００１８】
本発明によれば、デジタルカメラ等の携帯情報装置と電源装置と充電装置とから成るシステムを低コスト化することが可能になる。
【発明を実施するための最良の形態】
【００１９】
以下、添付の図面を用いて本発明の実施形態について説明する。
図１は、携帯情報装置として画像撮影装置を用いた場合の一実施形態を示すブロック図である。図１に示す実施形態は、電源装置２００と画像撮影装置１００と充電装置３００とから構成されている。電源装置２００は、画像撮影装置１００と充電装置３００の双方に、着脱可能に構成されている。電源装置２００が画像撮影装置１００に装着されると、電源装置２００から画像撮影装置１００に電力が供給される。また、電源装置２００が充電装置３００に装着されると、充電装置３００が電源装置２００を充電する。
【００２０】
なお、図１においては、説明の便宜上、電源装置２００は、画像撮影装置１００と充電装置３００の両方に電気的に接続されているものとして記載している。
また、図１に示す電源装置２００おいては、端子ｂ〜端子ｅが２個づつ記載されている。ここで、符号が同一の端子は１個の端子である。すなわち、電源装置２００と画像撮影装置１００とを接続する際に用いる端子ｂ〜端子ｅと、電源装置２００と充電装置３００とを接続する際に用いる端子ｂ〜端子ｅとを、便宜上、分けて記載している。
【００２１】
また、画像撮影装置１００は、レンズ１０１と、撮像素子１０２と、画像処理部１０３と、メモリインタフェース（メモリＩＦ）１０４と、メモリカード１０５と、表示操作部１０６と、制御回路１０７と、レリーズスイッチ１０８と、不揮発性メモリ１０９と、電源制御部１１０と、表示窓１１１とから構成されている。
電源装置２００は、二次電池部２０１と、ＣＰＵ２０２と、時計機能部２０３と、時計表示部２０４と、表示切換スイッチ２０５と、電池残量検出・充電時間予測回路２０６とから構成されている。なお、ＣＰＵ２０２は、ＲＯＭ，ＲＡＭ等を伴うのが一般的であるが、これらの図示を省略している。
【００２２】
充電装置３００は、充電制御部３０１と、時計・充電操作部３０２とから構成されている。
画像撮影装置１００、電源装置２００、充電装置３００を各々構成する各部の動作については後述する。
（電源装置２００が充電装置３００に装着された場合）
図２は、電源装置２００を充電するときのＣＰＵ２０２の制御手順を示すフローチャートである。
【００２３】
ステップＳ１において、電源装置２００のＣＰＵ２０２は充電装置３００が装着されたか否かを判断する。装着されると、電源装置２００と充電装置３００とは、ラインＬ３１〜Ｌ３５によって電気的に接続される。
ステップＳ２において、ＣＰＵ２０２は、充電制御部３０１に対して、ラインＬ３１を介して充電開始を指示する。充電装置３００の充電制御部３０１はラインＬ３２（端子ｂ）を介して二次電池部２０１の充電を開始する。
【００２４】
ステップＳ３において、ＣＰＵ２０２は、電池残量検出・充電時間予測回路２０６に対して二次電池部２０１の電池残量検出及び充電時間の予測を指示する。電池残量検出・充電時間予測回路２０６は、二次電池部２０１の電池残量の検出と充電時間の予測とを行い、その結果をＣＰＵ２０２に通知する。
ここで、二次電池部２０１は、単数又は複数のリチウムイオン電池、ニッケル水素電池等の充電可能な二次電池から構成されている。
【００２５】
また、電池残量検出・充電時間予測回路２０６は、次の手順で二次電池部２０１の電池残量検出と充電完了までに要する充電時間の予測を行う。すなわち、電池残量検出・充電時間予測回路２０６は、二次電池部２０１から出力電圧値を受け取る。また、図３に示すように、二次電池（Ｂ１，Ｂ２）は、その二次電池の種類（Ｂ１，Ｂ２）に応じて充電特性をもっている。電池残量検出・充電時間予測回路２０６は、出力電圧値と二次電池の種類（Ｂ１，Ｂ２）に応じてあらかじめ定められている充電特性とに基づいて、満充電状態になるまでの時間（Ｔ１，Ｔ２）を求める。求めた時間Ｔ１，Ｔ２が充電時間になる。このように、電池残量検出・充電時間予測回路２０６は、二次電池部２０１に複数の二次電池が収容されている場合、各二次電池毎に電池残量の検出と充電時間の予測を行う。
【００２６】
また、電池残量検出・充電時間予測回路２０６は、二次電池部２０１の充電完了時の電圧に対する二次電池部２０１の出力電圧値の割合を、電池残量として検出する。なお、二次電池部２０１の充電完了時の電圧は、二次電池部２０１の種類毎に決まった値が予めＣＰＵ内部のメモリに記憶されている。
ステップＳ４において、ＣＰＵ２０２は、時計機能部２０３に対して、時計表示部２０４に予測された充電時間を表示するように指示する。時計表示部２０４の表示が、時計機能部２０３の指示にしたがって、図４（ａ）（ｂ）に示すように、時刻表示から充電時間表示に切換わる。
【００２７】
ステップＳ５において、ＣＰＵ２０２は二次電池２０１の充電が完了したか否かを判断する。具体的には、ＣＰＵ２０２は、電池残量検出・充電時間予測回路２０６が満充電電圧値を二次電池部２０１から出力電圧値として受けたり、又は電池残量検出・充電時間予測回路２０６が予測した充電時間を経過したとき、充電完了と判断する。ＣＰＵ２０２が充電完了していないと判断するとステップＳ３へ戻り、上述の処理を繰り返す。
【００２８】
ステップＳ６において、ＣＰＵ２０２は、充電制御部３０１に対して、ラインＬ３１を介して充電終了を指示する。その結果、充電制御部３０１は、二次電池部２０１の充電動作を終了する。
ステップＳ７において、ＣＰＵ２０２は、時計機能部２０３に対して、時計表示部２０４に時刻を表示するように指示する。時計表示部２０４の表示は、時計機能部２０３の指示にしたがって、充電時間表示から時刻表示に切換わる。
【００２９】
なお、上述のフローチャートのステップＳ４において、ＣＰＵ２０２は、時計機能部２０３に対して充電時間を表示させることとしたが、電池残量を表示させることにしてもよい。
なお、図１において、ＣＰＵ２０２は二次電池部２０１の外部に設けられている。しかし、本発明は、これに限定されるものではない。すなわち、図５に示すように、二次電池部２０１の内部に、二次電池２０１ａと電池残量検出・充電時間予測回路２０１ｂとＣＰＵ２０１ｃと通信機能部２０１ｄ（電池残量検出機能（フューエルゲージ：ＦＧ）付き二次電池）を設ける構成でもよい。電池残量検出・充電時間予測回路２０１ｂは、二次電池２０１ａの電池残量の検出と充電時間の予測を行う。ＣＰＵ２０１ｃは、検出した二次電池２０１ａの電池残量及び予測された充電時間を、通信機能部２０１ｄを介して、電源装置２００内のＣＰＵ２０２に送信する。以上の説明は、電源装置２００を充電装置３００に装着して充電するときの基本動作である。
【００３０】
次に、電源装置２００と充電装置３００を構成している各部の動作について簡単に説明する。
図１において、ＣＰＵ２０２は、図２のフローチャートに示す動作の他に、電源装置２００が画像撮影装置１００に装着されているのか又は充電装置３００に装着されているのか等の判定を行う。この判定は、ＣＰＵ２０２が例えばラインＬ１６又はラインＬ３１をチェックすることにより実現できる。
【００３１】
電源装置２００の時計機能部２０３は、年、時、分、秒からなる時刻情報を発生する回路である。時計機能部２０３は、二次電池部２０１から電力供給されて駆動する。
表示切換スイッチ２０５は、時計表示部２０４に表示する項目を設定するスイッチである。この項目としては、図４に示すように、時刻、充電時間、電池残量等がある。加えて、表示切換スイッチ２０５が、時計の時刻合せの入力スイッチの機能を有している。
【００３２】
表示切換スイッチ２０５の操作に基づく時計表示部２０４の表示切換の制御について説明する。
まず図４（ｃ）に示すように、時計表示部２０４が電池残量を表示している場合について説明する。この状態で、表示切換スイッチ２０５が押下されると、時計表示部２０４は図４（ａ）に示すような時刻表示に切り換わる。
【００３３】
具体的に説明すると、表示切換スイッチ２０５が押下されると、表示切換スイッチ２０５は時計機能部２０３に表示切換信号を出力する。時計機能部２０３は表示切換信号に応答して、ＣＰＵ２０２に表示切換確認要求を行う。ＣＰＵ２０２は表示切換確認要求があると、切換前の表示を認識する。この場合、切換前の表示が電池残量であるので、ＣＰＵ２０２は切換前表示が電池残量であると認識し、時刻表示への切り換えを決定する。
【００３４】
そしてＣＰＵ２０２は時計機能部２０３に時刻表示命令を出す。時計機能部２０３は、時刻表示命令に応答して時刻情報を時計表示部２０４に出力し、時計表示部２０４に時刻表示をさせる。
次に図４（ａ）に示すように、時刻表示部２０４が時刻を表示している場合について説明する。この状態で、表示切換スイッチ２０５が押下されると、時計表示部２０４は図４（ｂ）に示すような充電時間表示に切り換わる。
【００３５】
具体的に説明すると、表示切換スイッチ２０５が押下されると、表示切換スイッチ２０５は時計機能部２０３に表示切換信号を出力する。時計機能部２０３は表示切換信号に応答して、ＣＰＵ２０２に表示切換確認要求を行う。ＣＰＵ２０２は表示切換確認要求があると、切換前の表示を認識する。この場合、切換前の表示が時刻表示であるので、ＣＰＵ２０２は切換前表示が時刻表示であると認識し、充電時間表示への切り換えを決定する。
【００３６】
次にＣＰＵ２０２は電池残量検出・充電時間予測回路２０６に充電時間の予測を指示する。電池残量検出・充電時間予測回路２０６は、前述の手順で充電時間を予測する。そしてＣＰＵ２０２は、電池残量検出・充電時間予測回路２０６から受信した予測充電時間に基づいて、時計機能部２０３に充電時間表示命令を出す。時計機能部２０３は、充電時間表示命令に応答して充電時間情報を時計表示部２０４に出力し、時計表示部２０４に充電時間表示をさせる。
【００３７】
次に図４（ｂ）に示すように、時刻表示部２０４が充電時間を表示している場合を説明する。この状態で、表示切換スイッチ２０５が押下されると、時計表示部２０４は図４（ｃ）に示すような電池残量表示に切り換わる。
具体的に説明すると、表示切換スイッチ２０５が押下されると、表示切換スイッチ２０５は時計機能部２０３に表示切換信号を出力する。時計機能部２０３は表示切換信号に応答して、ＣＰＵ２０２に表示切換確認要求を行う。ＣＰＵ２０２は表示切換確認要求があると、切換前の表示を認識する。切換前の表示が充電時間表示であるので、ＣＰＵ２０２は切換前表示が充電時間表示であると認識し、電池残量表示への切り換えを決定する。
【００３８】
次にＣＰＵ２０２は電池残量検出・充電時間予測回路２０６に電池残量情報を要求する。電池残量検出・充電時間予測回路２０６は、前述の手順で電池残量を検出する。そしてＣＰＵ２０２は、電池残量検出・充電時間予測回路２０６から受信した電池残量情報に基づいて、時計機能部２０３に電池残量表示命令を出す。時計機能部２０３は、電池残量表示命令に応答して電池残量情報を時計表示部２０４に出力し、時計表示部２０４に電池残量表示をさせる。
【００３９】
更に、前記した実施形態においては、電池残量検出・充電時間予測回路２０６は、検出した二次電池部２０１の電池残量及び予測された充電時間をＣＰＵ２０２に通知するものとして説明したが、本発明はこれに限定されるものではなく、時計機能部２０３に送信するようにしてもよい。これによって、時計機能部２０３は、時計表示部２０４に電池残量又は充電時間を表示することが可能になる。
【００４０】
更に、前記した実施形態においては、ＣＰＵ２０２が二次電池部２０１の充電制御を主に行うものとして説明した。しかし、本発明はこれに限定されるものではない。すなわち、充電装置３００の充電制御部３０１が、二次電池部２０１の充電制御を行うように構成してもよい。具体的には、充電制御部３０１が二次電池部２０１の電池残量及び予測された充電時間を電源装置２００の電池残量検出・充電時間予測回路２０６から受信して、二次電池部２０１の充電制御を行う。この場合、充電時間は、ラインＬ３３（端子ｃ）を介して電源装置２００の時計機能部２０３へ送信され、時計表示部２０４で表示される。充電制御部３０１は、ラインＬ３２（端子ｂ）を介して充電電圧を二次電池部２０１へ出力する。これによって、二次電池部２０１が充電される。
【００４１】
更に、時計・充電操作部３０２は、その操作に応じて、充電の開始と終了を充電制御部３０１に指示する。また、時計・充電操作部３０２は、その操作に応じて、電源装置２００の時刻合せを行う時刻合せ情報を、ラインＬ３４（端子ｄ）を介して時計機能部２０３に送信する。これによって、時計機能部２０３は時刻を合せる。
また、時計・充電操作部３０２は、その操作に応じて、時計表示部２０４の表示モード（時刻表示、充電時間表示、電池残量表示）を切換える表示切換情報を、ラインＬ３５（端子ｅ）を介して時計機能部２０３に送信する。これによって、時計表示部２０４の表示が切換えられる（図４参照）。なお、この表示切換の制御は、前述した表示切換スイッチ２０５による表示切換の場合と同じであるので説明を省略する。前記した充電の開始と終了、時刻合せ、表示切換等は、時計・充電操作部３０２からの指示が常に優先される。
（電源装置２００が画像撮影装置１００に装着された場合）
次に、電源装置２００が画像撮影装置１００に装着されている場合について説明する。具体的には、電源装置２００がラインＬ１２〜Ｌ１６を介して画像撮影装置１００に電気的に接続された状態である。電源装置２００の二次電池部２０１は、ラインＬ１２を介して画像撮影装置１００の電源制御部１１０に電力を供給する。画像撮影装置１００の電源制御部１１０は、供給された電力を画像撮影装置１００の各部に供給する（図示せず）。
【００４２】
以上の構成において、レンズ１０１は、被写体像を撮像素子１０２の撮像面に結像する。撮像素子１０２はＣＣＤ，ＣＭＯＳ等の入射光を光電変換し画像信号を出力する固体撮像素子である。ユーザがレリーズスイッチ１０８を押下すると、レリーズスイッチ１０８がオンする。制御回路１０７は、レリーズスイッチ１０８のオンを検出して、撮像素子１０２にレリーズ信号を出力する。画像処理部１０３は、画像信号に各種の処理（Ａ／Ｄ変換、ルックアップテーブル処理等）を施して、ＪＰＥＧ画像等の画像データを生成する。このとき、制御回路１０７は、画像処理部１０３に対して、画像データの生成に必要な種々の制御信号を出力する。電源装置２００の時計機能部２０３から送信される時刻情報は、例えばラインＬ１４（端子ｄ）を介して制御回路１０７によって受信される。したがって、時刻情報は、画像データに付随する撮影データとして記録される。ここで、不揮発性メモリ１０９は、制御回路１０７における種々の設定状態等を格納している。メモリカード１０５は、メモリインタフェース１０４を介して、生成された画像データを格納する。
【００４３】
なお、不揮発性メモリ１０９としては、フラッシュメモリ（Flash Memory）、ＥＥＰＲＯＭ等の半導体メモリを使用する。
ここで、画像撮影装置１００を継続して使用すると、二次電池部２０１の出力電圧は画像撮影装置１００の動作電圧よりも低くなる。この場合、画像撮影装置１００は、その動作を停止する。しかし、電源装置２００の時計機能部２０３の動作電圧は、画像撮影装置１００の動作電圧より遥かに低い。したがって、電源装置２００の時計機能部２０３はその動作を停止しない。そのため、電源装置２００を充電装置３００で充電したとき、電源装置２００の時刻合せを行う必要がない。
【００４４】
なお、本発明は、電池残量検出・充電時間予測回路２０６が二次電池部２０１の電池残量の検出と充電時間の予測とを行うことに限定されるものではなく、画像撮影装置１００の制御回路１０７が二次電池部２０１の電圧値に基づいて電池残量検出及び充電完了までに要する充電時間の予測を行うように構成してもよい。この場合、予測される充電時間は、充電時間情報としてラインＬ１４（端子ｄ）又はＬ１５（端子ｅ）を介して時計機能部２０３に送信される。時計機能部２０３は、充電時間情報を受信する。そして、時計機能部２０３は時計表示部２０４に充電時間を表示させる。
【００４５】
また、画像撮影装置１００の制御回路１０７は、表示操作部１０６の操作に応じて、電源装置２００の時計表示部２０４の表示モード（時刻、充電時間、電池残量）を切換える表示切換情報を出力する。この切換は、表示切換情報をラインＬ１５（端子ｅ）を介して時計機能部２０３に送信することにより行われる。時計機能部２０３は、表示切換情報を受信するたびに、図４に示すように、時計表示部２０４の表示を順次切換える。したがって、ユーザは、例えば電池残量を表示窓１１１から目視により確認することが可能になる。なお、この表示切換の制御は、前述した表示切換スイッチ２０５による表示切換の場合と同じであるので説明を省略する。
【００４６】
また、画像撮影装置１００の制御回路１０７は、表示操作部１０６の操作に応じて、電源装置２００の時刻合せを行う時刻合せ情報をラインＬ１４（端子ｄ）を介して時計機能部２０３に送信する。時計機能部２０３は、時刻合せ情報にしたがって時刻を合せる。
また、電源装置２００が画像撮影装置１００に装着されると、電源装置２００はラインＬ１６（端子ｆ）を介して制御回路１０７から画像撮影装置装着情報を受信する。画像撮影装置装着情報は、ＣＰＵ２０２に入力される。ＣＰＵ２０２は、画像撮影装置装着情報が入力されると、時計機能部２０３に対して時刻の表示を指示する。これによって、電源装置２００が画像撮影装置１００に装着されるだけで、時計表示部２０４に時刻が表示される。電源装置２００が画像撮影装置１００に装着されていないときは、ＣＰＵ２００は時計機能部２０３に対して電池残量の表示を指示する。この指示に応答して、時計機能部２０３は時計表示部２０４に電池残量を表示させる。
【００４７】
なお、電源装置２００が画像撮影装置１００に装着されると、時計表示部２０４の表示領域が表示窓１１１から目視可能になる。
また、画像撮影装置１００に電源装置２００を装着した状態において、画像撮影装置１００が動作を停止した場合でも、時刻を常に確認することができる。したがって、画像撮影装置１００は、他に時刻を表示する表示部を有する必要がない。そのため、画像撮影装置１００の製造コストを下げることができる。また、画像撮影装置１００は、比較的消費電力の大きい画像表示部（例えば、撮像画像確認用の表示部）を起動する必要がない。そのため、画像撮影装置１００の消費電力を少なくすることができる。
【００４８】
また、画像撮影装置１００としては、デジタルカメラやＶＴＲ(Video Tape Recorder)用のカメラ等がある。
以上の説明から明らかなように、電源装置２００が画像撮影装置１００に装着されている場合には、電源装置２００の時計表示部２０４は表示操作部１０６又は表示切換スイッチ２０５の操作により、「時刻合せ」、「時刻表示」、「充電時間表示」、「電池残量表示」を自由に切換えることができる。また、電源装置２００が画像撮影装置１００に装着されたことを検出すると、時計表示部２０４は時刻表示を行うようにすることも可能である。逆に、電源装置２００が画像撮影装置１００から引き抜かれた場合、時計表示部２０４は充電時間表示や電池残量表示を行うようにすることも可能である。ただし、表示操作部１０６又は表示切換スイッチ２０５の操作が常に優先する。
【００４９】
同様に、電源装置２００が充電装置３００に装着されている場合には、電源装置２００の時計表示部２０４は表示切換スイッチ２０５又は時計・充電操作部３０２の操作により、「時刻合せ」、「時刻表示」、「充電時間表示」、「電池残量表示」を自由に切換えることができる。また、電源装置２００が充電装置３００に装着されたことを検出すると、時計表示部２０４は充電時間表示や電池残量表示を行うようにすることも可能である。逆に、電源装置２００が充電装置３００から引き抜かれた場合、時計表示部２０４は時刻表示を行うようにすることも可能である。ただし、表示切換スイッチ２０５又は時計・充電操作部３０２の操作が常に優先する。
（一眼レフデジタルカメラに応用した場合）
図６と図７は、本発明を一眼レフデジタルカメラ５００に応用した一例を示す説明図である。
【００５０】
図６において、一眼レフデジタルカメラ５００は図１に示す画像撮影装置１００に対応する。
図６は、電源装置２００を一眼レフデジタルカメラ５００に装着する前の状態を示している。図７は、電源装置２００を一眼レフデジタルカメラ５００に装着した後の状態を示している。
【００５１】
図６と図７に示す一眼レフデジタルカメラ５００は、時刻合せ釦１２１と、表示切換釦１２２と、接眼部１２３と、レリーズスイッチ１０８と、撮影画像確認用画面（ＴＦＴ液晶画面）１２４と、表示窓１１１とを備えている。ここで、時刻合せ釦１２１と表示切換釦１２２は、図１に示す表示操作部１０６に相当する。また、電源装置（バッテリーパック）２００は、時計表示部２０４と複数の接点Ｔを備えている。複数の接点Ｔは、電源装置２００と一眼レフデジタルカメラ５００とを電気的に接続するためのものである。
【００５２】
図７に示すように、時計表示部２０４の表示領域は、表示窓１１１から目視可能である。また、時刻合せ釦１２１は、その操作に応じて、時計機能部２０３の時刻合せを実行させる。また、表示切換釦１２２は、その操作に応じて、時計表示部２０４の表示モード（時刻表示、充電時間表示、電池残量表示）を自由に切換える。
図８は、電源装置２００を充電装置３００に装着する前の状態を示している。図９は、電源装置２００を充電装置３００に装着した後の状態を示している。図８と図９に示す充電装置３００は、電源コード３０４と、時刻合せ釦３０５と、表示切換釦３０６と複数の接点Ｈを備えている。ここで、複数の接点Ｈは、電源装置２００の接点Ｔと電気的に接続される。
【００５３】
図９に示すように、電源装置２００を充電装置３００に装着して充電を開始する。これによって、電源装置２００の時計表示部２０４は、例えば充電完了までに要する充電時間を表示する。図９の時計表示部２０４の表示は、充電完了までに１時間３５分かかることを示している。また、充電が終了すると、電源装置２００の時計表示部２０４は、時刻表示に切換わる。また、時刻合せ釦３０５を操作することにより、電源装置２００において時刻合せが実行される。また、表示切換釦３０６を操作することにより、時計表示部２０４の表示モード（時刻表示、充電時間表示、電池残量表示）を自由に切換えることができる。
【００５４】
図７から図９に示す一眼レフデジタルカメラのシステムによれば、時計表示用の表示部を一つ設けるだけでよい。したがって、一眼レフデジタルカメラのシステムが安価に構築できる。
【産業上の利用可能性】
【００５５】
本発明は、デジタルカメラ等の携帯情報装置や電源装置の分野において、産業上大いに利用することができる。
【図面の簡単な説明】
【００５６】
【図１】携帯情報装置として画像撮影装置を用いた場合の一実施形態を示すブロック図である。
【図２】電源装置を充電する際のフローチャートである。
【図３】時計表示部の表示例を示す説明図である。
【図４】マイコンが充電時間の予測を行うために用いる充電特性の一例を示す説明図である。
【図５】二次電池部の他の例を示すブロック図である。
【図６】本発明を一眼レフデジタルカメラに応用した一例（電源装置装着前）を示す説明図である。
【図７】本発明を一眼レフデジタルカメラに応用した一例（電源装置装着後）を示す説明図である。
【図８】電源装置を充電装置に装着する前の状態を示す説明図である。
【図９】電源装置を充電装置に装着した後の状態を示す説明図である。
【符号の説明】
【００５７】
１００…画像撮影装置、１０６…表示操作部、１０７…制御回路、１０８…レリーズスイッチ、１１０…電源制御部、１１１…表示窓、１２１…時刻合せ釦、１２２…表示切換釦、１２４…撮影画像確認用画面（ＴＦＴ液晶画面）、２００…電源装置、２０１…二次電池部、２０２…ＣＰＵ、２０３…時計機能部、２０４…時計表示部、２０５…表示切換スイッチ、２０６…電池残量検出・充電時間予測回路２０６、３００…充電装置、３０１…充電制御部、３０２…時計・充電操作部、３０５…時刻合せ釦、３０６…表示切換釦、５００…一眼レフデジタルカメラ、ａ〜ｆ…端子、Ｔ，Ｈ…接点、Ｌ１２，Ｌ１３，Ｌ１４，Ｌ１５，Ｌ１６，Ｌ３１，Ｌ３２，Ｌ３３，Ｌ３４，Ｌ３５…ライン
【図１】
2007089263.tif 000003
【図２】
2007089263.tif 000004
【図３】
2007089263.tif 000005
【図４】
2007089263.tif 000006
【図５】
2007089263.tif 000007
【図６】
2007089263.tif 000008
【図７】
2007089263.tif 000009
【図８】
2007089263.tif 000010
【図９】
2007089263.tif 000011